(57)【要約】      （修正有）【課題】場所の制約を受けることなく而も簡便に測量が行える様にした簡易距離計を提供する。【解決手段】フレームと、フレームの前後に配設した少なくとも２つの車輪と、車輪の回転を検出する回転検出器と、フレームに設けられた傾斜検出手段と、演算制御部１１とを有し、回転検出器により車輪の回転量を取得し、傾斜検出手段により回転量に対応させたフレームの傾斜を取得し、回転検出器の検出結果と傾斜検出手段の検出結果とに基づき、演算制御部１１が移動した軌跡及び比高を演算する様構成した。【選択図】図２
2014215110.tif 000002
【特許請求の範囲】
【請求項１】
フレームと、該フレームの前後に配設した少なくとも２つの車輪と、該車輪の回転を検出する回転検出器と、前記フレームに設けられた傾斜検出手段とを有し、前記回転検出器により前記車輪の回転量を取得し、前記傾斜検出手段により前記回転量に対応させた前記フレームの傾斜を取得する様構成したことを特徴とする簡易距離計。
【請求項２】
方位センサを更に具備する請求項１の簡易距離計。
【請求項３】
演算制御部を更に具備し、前記回転検出器の検出結果に基づき測定した移動距離と前記傾斜検出手段の検出結果とに基づき移動した軌跡及び比高を演算する請求項１又は請求項２の簡易距離計。
【請求項４】
前記演算制御部は、前記フレームに設けられた請求項１〜請求項３の内いずれかに記載の簡易距離計。
【請求項５】
端末装置を更に具備し、前記演算制御部は前記端末装置に設けられた請求項１〜請求項３の内いずれかに記載の簡易距離計。
【請求項６】
前記傾斜検出手段は、２種類の傾斜センサから構成され、２種類の内一方は絶対水平を検出し、他方は前記一方の傾斜センサが検出した絶対水平からの偏差を検出する様構成した請求項１〜請求項５の内いずれかに記載の簡易距離計。
【請求項７】
前記他方の傾斜センサは、加速度センサである請求項６の簡易距離計。
【請求項８】
前記加速度センサからの出力信号の内、高周波分を抽出し正負逆転した信号を作成し、該正負逆転した信号を前記出力信号に合算する請求項７の簡易距離計。
【請求項９】
前記加速度センサを少なくとも２つ設け、一つの前記加速度センサからの出力信号の内、高周波分を抽出し正負逆転した信号を作成し、該正負逆転した信号を他の前記加速度センサからの出力信号に合算し、前記フレームの傾斜を検出する請求項８の簡易距離計。
【請求項１０】
前記回転検出器からの信号に基づき加速度が算出され、該加速度に基づき前記加速度センサの検出結果を補正する請求項１〜請求項９の内いずれかに記載の簡易距離計。
【発明の詳細な説明】
【技術分野】
【０００１】
本発明は距離及び比高を簡便に測定する簡易距離計に関するものである。
【背景技術】
【０００２】
土木工事に於ける出来高管理や横断測量に際し、一般的に使用されている方法としてはトータルステーションを用いた測量が挙げられる。
【０００３】
トータルステーションを用いた測量では、高精度の測量が可能であるが、又測量場所から離れた位置にトータルステーションを設置しなければならないので、場所的な制約があり、又セッティングに時間が掛り、測量にも作業時間が掛る。更に、複数の作業者が必要となる等の問題があった。
【先行技術文献】
【特許文献】
【０００４】
【特許文献１】特開２００４−２９４３１２号公報
【特許文献２】特開２０１３−２９４７０号公報
【発明の概要】
【発明が解決しようとする課題】
【０００５】
本発明は斯かる実情に鑑み、場所の制約を受けることなく而も簡便に測量が行える様にした簡易距離計を提供するものである。
【課題を解決するための手段】
【０００６】
本発明は、フレームと、該フレームの前後に配設した少なくとも２つの車輪と、該車輪の回転を検出する回転検出器と、前記フレームに設けられた傾斜検出手段とを有し、前記回転検出器により前記車輪の回転量を取得し、前記傾斜検出手段により前記回転量に対応させた前記フレームの傾斜を取得する様構成した簡易距離計に係るものである。
【０００７】
又本発明は、方位センサを更に具備する簡易距離計に係るものである。
【０００８】
又本発明は、演算制御部を更に具備し、前記回転検出器の検出結果に基づき測定した移動距離と前記傾斜検出手段の検出結果とに基づき移動した軌跡及び比高を演算する簡易距離計に係るものである。
【０００９】
又本発明は、前記演算制御部は、前記フレームに設けられた簡易距離計に係るものである。
【００１０】
又本発明は、端末装置を更に具備し、前記演算制御部は前記端末装置に設けられた簡易距離計に係るものである。
【００１１】
又本発明は、前記傾斜検出手段は、２種類の傾斜センサから構成され、２種類の内一方は絶対水平を検出し、他方は前記一方の傾斜センサが検出した絶対水平からの偏差を検出する様構成した簡易距離計に係るものである。
【００１２】
又本発明は、前記他方の傾斜センサは、加速度センサである簡易距離計に係るものである。
【００１３】
又本発明は、前記加速度センサからの出力信号の内、高周波分を抽出し正負逆転した信号を作成し、該正負逆転した信号を前記出力信号に合算する簡易距離計に係るものである。
【００１４】
又本発明は、前記加速度センサを少なくとも２つ設け、一つの前記加速度センサからの出力信号の内、高周波分を抽出し正負逆転した信号を作成し、該正負逆転した信号を他の前記加速度センサからの出力信号に合算し、前記フレームの傾斜を検出する簡易距離計に係るものである。
【００１５】
更に又本発明は、前記回転検出器からの信号に基づき加速度が算出され、該加速度に基づき前記加速度センサの検出結果を補正する簡易距離計に係るものである。
【発明の効果】
【００１６】
本発明によれば、フレームと、該フレームの前後に配設した少なくとも２つの車輪と、該車輪の回転を検出する回転検出器と、前記フレームに設けられた傾斜検出手段とを有し、前記回転検出器により前記車輪の回転量を取得し、前記傾斜検出手段により前記回転量に対応させた前記フレームの傾斜を取得する様構成したので、場所の制約を受けることなく而も簡便に距離測定と走行面の傾斜測定を同時に行える。
【００１７】
又本発明によれば、方位センサを更に具備するので、所望の方向の距離測定と走行面の傾斜測定を行うことができる。
【００１８】
又本発明によれば、演算制御部を更に具備し、前記回転検出器の検出結果に基づき測定した移動距離と前記傾斜検出手段の検出結果とに基づき移動した軌跡及び比高を演算するので、トータルステーションの様な高価な装置を用いることなく、且つ測定場所の制約を受けることなく簡便に距離測定と比高の測定を同時に行える。
【００１９】
又本発明によれば、前記傾斜検出手段は、２種類の傾斜センサから構成され、２種類の内一方は絶対水平を検出し、他方は前記一方の傾斜センサが検出した絶対水平からの偏差を検出する様構成したので、広範囲の傾斜測定が高い信頼性で行える。
【００２０】
又本発明によれば、前記加速度センサからの出力信号の内、高周波分を抽出し正負逆転した信号を作成し、該正負逆転した信号を前記出力信号に合算するので、走行中の振動が傾斜測定に影響することが排除される。
【００２１】
又本発明によれば、前記加速度センサを少なくとも２つ設け、一つの前記加速度センサからの出力信号の内、高周波分を抽出し正負逆転した信号を作成し、該正負逆転した信号を他の前記加速度センサからの出力信号に合算し、前記フレームの傾斜を検出するので、走行中の振動が傾斜測定に影響することが排除される。
【００２２】
更に又本発明によれば、前記回転検出器からの信号に基づき加速度が算出され、該加速度に基づき前記加速度センサの検出結果を補正するので、簡易距離計走行開始、停止時に発生する加速度が傾斜測定に及す影響を排除することができる等の優れた効果を発揮する。
【図面の簡単な説明】
【００２３】
【図１】本発明の実施例に係る簡易距離計の斜視図である。
【図２】該簡易距離計に用いられるデータ処理装置の概略構成図である。
【図３】該簡易距離計により比高を測定する場合の説明図である。
【図４】加速度センサからの信号から振動成分を除去する場合の説明図である。
【図５】本発明の他の実施例に係る簡易距離計を示し、該簡易距離計が３輪車である場合の概略斜視図である。
【発明を実施するための形態】
【００２４】
以下、図面を参照しつつ本発明の実施例を説明する。
【００２５】
図１に於いて、本発明の実施例に係る簡易距離計１について説明する。
【００２６】
フレーム２の前後に前走行輪３、後走行輪４が設けられ、前記前走行輪３は該前走行輪３と一体に回転する回転軸を介して前記フレーム２に支持され、前記後走行輪４は該後走行輪４と一体に回転する回転軸を介して前記フレーム２に支持されている。前記前走行輪３、前記後走行輪４は同径であり、又直径は既知となっている。
【００２７】
前記前走行輪３の回転軸に回転検出器としての前エンコーダ５が設けられ、前記前走行輪３の回転は前記前エンコーダ５により検出され、前記後走行輪４の回転軸に回転検出器としての後エンコーダ６が設けられ、該後エンコーダ６により前記後走行輪４の回転が検出される様になっている。尚、前記前エンコーダ５、前記後エンコーダ６はいずれか一方のみでもよい。
【００２８】
前記フレーム２の上面には、進行方向にのみ揺動自在に、手押し棒７が設けられている。又、前記フレーム２の側面には、データ処理装置８（後述）が設けられている。
【００２９】
以下、図２により前記データ処理装置８について説明する。
【００３０】
該データ処理装置８は防水構造となっており、防水構造のユニットケース９に演算制御部１１、傾斜センサ１２、加速度センサ１３、方位センサ１４、通信部（通信モジュール）１５、電源１６等が収納される構造となっている。更に、前記演算制御部１１は、ＣＰＵで代表される演算部１７、記憶部１８、入出力部１９等で構成されている。
【００３１】
前記傾斜センサ１２、前記加速度センサ１３は傾斜検出手段を構成し、前記傾斜センサ１２は絶対水平を高精度で検出し、前記加速度センサ１３は、例えばメムスセンサであり、前記傾斜センサ１２が検出した水平からの相対的な傾斜を検出する。又前記加速度センサ（以下、メムスセンサと称す）１３は、３軸方向の傾斜を検出可能であると共に、前記傾斜センサ１２より応答速度が速く、更に広範囲の傾斜を検出可能となっている。
【００３２】
前記傾斜センサ１２、前記メムスセンサ１３、前記方位センサ１４が検出した結果は、前記前エンコーダ５、前記後エンコーダ６が検出した回転量に関連づけて前記演算制御部１１に入力される。
【００３３】
前記通信部１５は、取得したデータ及び演算した結果を、表示部２２を有する端末装置２１、例えばＰＤＡ、ＰＣ等に無線通信する。又、前記端末装置２１は、市販の携帯電話等で代用することもできる。
【００３４】
前記記憶部１８には、演算プログラム、通信制御プログラム、入出力制御プログラム等が格納され、前記演算部１７は前記プログラムを運用して、各種演算処理、データ処理を実行し、又データを前記端末装置２１に送信する。
【００３５】
前記電源１６は、前記演算制御部１１、前記通信部１５に必要な電力を供給する。又、前記電源１６としては充電可能な電池、或は交換可能な電池が用いられる。
【００３６】
前記前エンコーダ５で検出された前記前走行輪３の回転角（該前走行輪３の回転に関する情報）、及び前記後エンコーダ６で検出された前記後走行輪４の回転角（該後走行輪４の回転に関する情報）は、それぞれ前記演算制御部１１に入力される。
【００３７】
以下、本実施例に係る簡易距離計１の作用について説明する。
【００３８】
前記簡易距離計１を走行させると、前記前走行輪３、前記後走行輪４が回転し、回転量は、それぞれ前記前エンコーダ５、前記後エンコーダ６により検出され、検出結果は前記演算制御部１１に入力される。
【００３９】
該演算制御部１１は、両エンコーダ５，６の検出結果に基づき前記前走行輪３、前記後走行輪４の回転量を演算し、更に得られた回転量及び両車輪の直径から、移動距離を演算する。更に、前記傾斜センサ１２の検出結果から、水平面を走行したか、斜面を走行したかが判断される。又、前記演算制御部１１は前記両エンコーダ５，６の検出結果、前記傾斜センサ１２の検出結果に基づき比高を演算する。
【００４０】
前記傾斜センサ１２が水平を検出した状態での走行であると、移動距離は水平移動距離となる。又、前記傾斜センサ１２が傾斜を検出した状態での走行であると、移動は斜面を移動したことになり、前記傾斜センサ１２が検出した傾斜角と前記簡易距離計１の移動距離により、水平方向の移動距離と移動中の高さ変化が求められる。更に、測量後のデータにより、測量中の前記簡易距離計１の軌跡と、比高が求められる。
【００４１】
従って、測定したい２点間を前記簡易距離計１を走行させることで、或は測定したい測線に沿って前記簡易距離計１を走行させることで、距離と比高が測定できる。
【００４２】
更に、前記傾斜センサ１２が検出する傾斜角が、移動と共に変化する場合がある。例えば、道路の横断測量を行う場合、道路の断面は雨水を排水する為に中央が高く、路側に向って下り傾斜している。この為、前記簡易距離計１で横断測量を行った場合、前記傾斜センサ１２は、測定開始時に傾斜を検出し、検出する傾斜は漸次減少し、道路中央で水平を検出し、更に道路中央を越えると逆方向の傾斜を検出する。
【００４３】
前記演算制御部１１は、前記前エンコーダ５、前記後エンコーダ６からの検出結果に基づき微小時間単位で移動量を演算し、更に前記傾斜センサ１２からの検出結果に基づき傾斜角を求め、微小時間単位での移動量と傾斜角に基づき得られる水平移動量と比高とをそれぞれ、積分することで、傾斜を有する面での水平移動距離と比高とを求めることができる。尚、微小時間単位で移動量を演算し、更に前記傾斜センサ１２からの検出結果に基づき傾斜角を求め、リアルタイムで比高の変化量を求めることで、測定面が平面でなく凹凸がある曲面であっても測定が可能である。
【００４４】
尚、前記簡易距離計１の傾斜が、前記傾斜センサ１２の検出範囲を超える場合は、前記メムスセンサ１３によって傾斜が検出される。該メムスセンサ１３が検出する傾斜は、前記傾斜センサ１２によって検出された高精度の水平を基準としているので、前記メムスセンサ１３の検出精度の信頼性は高い。
【００４５】
尚、斜面を走行させた場合の、比高の測定を図３に示している。
【００４６】
図３中、Ｄは前記前走行輪３、前記後走行輪４の直径、更にθは微小時間での前記前走行輪３、前記後走行輪４の回転角、Ｖは前記傾斜センサ１２が検出する傾斜角を示している。
【００４７】
前記簡易距離計１の移動距離ＬはΣ（Ｄθ／２）、比高ＨはΣ（ＤθｓｉｎＶ／２）で表される。
【００４８】
前記演算制御部１１で演算（測定）した移動距離、比高は、前記通信部１５を介して前記端末装置２１に送信され、前記表示部２２に表示される。
【００４９】
次に、前記演算制御部１１は、前記前エンコーダ５と前記後エンコーダ６との信号の偏差を常時演算しており、前記前エンコーダ５と前記後エンコーダ６との偏差が生じた場合、いずれか一方の車輪が走行面から離反したか、或は一方の車輪がスリップしたか、或は一方の車輪が障害物により正常な回転が妨げられたことになる。この場合、前記前エンコーダ５、前記後エンコーダ６の検出結果に基づき演算した移動距離の信頼性が低下する。
従って、この場合、両車輪間で回転偏差が発生したことを前記端末装置２１に送信し、前記表示部２２に表示させる。作業者は、前記表示部２２の表示内容により、測定を続行するか或は再測定を行うか等を判断することができる。
【００５０】
尚、前記演算制御部１１に予め許容値を設定し、該演算制御部１１は、偏差が許容値を超えた場合には再測定を行う警告を発する様にしてもよい。
【００５１】
又、前記方位センサ１４の検出結果に基づき、進行方向を監視することもできる。前記簡易距離計１が蛇行して移動した場合等では、前記方位センサ１４の検出結果に基づき蛇行を修正することができる。
【００５２】
又、測線が所定の方位に設定された場合では、前記方位センサ１４の検出結果、即ち前記簡易距離計１の進行方向を、前記端末装置２１に送信し、前記表示部２２に表示させれば、作業者は設定された方位に前記簡易距離計１を移動させることができる。
【００５３】
尚、前記演算制御部１１を前記簡易距離計１に設けたが、前記端末装置２１に前記演算制御部１１の機能を持たせてもよい。この場合、前記傾斜センサ１２、前記メムスセンサ１３、前記方位センサ１４、前記前エンコーダ５、前記後エンコーダ６の検出結果を、前記通信部１５を介して前記端末装置２１に送信し、該端末装置２１で前記簡易距離計１の移動距離の演算、移動軌跡の演算、比高の演算を行ってもよい。
【００５４】
次に、測定する地面の表面は滑らかとは限らない。従って、前記簡易距離計１を走行させることで該簡易距離計１が振動する。振動は、加速度として前記傾斜センサ１２、前記メムスセンサ１３に作用するので、傾斜の検出結果に影響を及ぼす可能性がある。又、前記簡易距離計１を移動、停止する場合にも加速度が作用し、この移動、停止時の加速度も傾斜の検出結果に影響を及ぼす可能性がある。
【００５５】
以下、走行時の振動、移動停止時の加速度の影響を排除することについて説明する。
【００５６】
先ず、走行時の振動について説明する。
【００５７】
前記メムスセンサ１３を傾斜検出用と振動排除用の２つ設ける。尚、２つの前記メムスセンサ１３は、できるだけ近くに、又好ましくは一体に設け、検出する振動が同等となる様にする。
【００５８】
図４（Ａ）中、曲線ｍは、前記傾斜検出用のメムスセンサ１３が出力する信号であり、図中、０は水平を検出した際の出力であり、ｖのレベルの信号（図中１点鎖線）は、傾斜に対応した信号である。
【００５９】
前記簡易距離計１を走行させた場合、走行面の傾斜が急激に変化することはなく、走行面の傾斜の変化に対応する信号レベル変化は極めて小さく、又変化も極めて緩やかである。従って、所定時間、例えば数秒単位では、走行面の傾斜に対応したレベル変化、振動は殆どなく、図示の如く直流成分として殆ど差支えない。
【００６０】
従って、走行時に見られる振動波形は殆どが、走行に伴う振動（傾斜検出の信号と対比して高周波振動と称す）として差支えない。
【００６１】
次に、前記振動排除用のメムスセンサ１３からは、前記傾斜検出用のメムスセンサ１３と同様の信号（ｍ）が出力される。前記両メムスセンサ１３，１３の信号は、前記演算制御部１１に入力される。該演算制御部１１では、前記振動排除用のメムスセンサ１３から高周波成分だけ抽出し、上下逆転した（＋と−とを逆転させた）信号ｎを作成する。前記信号ｎは、図４（Ｂ）中、曲線ｎで表される。
【００６２】
前記信号ｎを前記信号ｍに合算することで、高周波成分が相殺され、傾斜を検出する信号ｖのみが得られる。
【００６３】
尚、前記振動排除用のメムスセンサ１３を省略し、前記傾斜検出用のメムスセンサ１３から得られる信号から高周波成分のみの信号を取得し、該高周波成分を正負逆転させ、正負逆転させた信号を元の信号、即ち前記傾斜検出用のメムスセンサ１３が出力する信号に合算してもよい。
【００６４】
次に、移動停止時の加速度の影響を排除することについて説明する。
【００６５】
前記前走行輪３、前記後走行輪４の回転角は、前記前エンコーダ５、前記後エンコーダ６により検出され、検出結果は常時前記演算制御部１１に入力されている。
【００６６】
該演算制御部１１は、前記前エンコーダ５、前記後エンコーダ６の少なくとも、いずれか一方の検出結果を微分して、加速度（回転数変化率）を演算する。演算された加速度が所定の値より大きくなった場合に、演算された加速度に基づき前記加速度センサ１３が検出した傾斜角の補正を行う。
【００６７】
図５は他の実施例を示しており、該他の実施例では簡易距離計１を前輪２５、左輪２６、右輪２７の３輪車とし、各車輪２５，２６，２７を独立して回転自在とし、各車輪２５，２６，２７の回転軸にそれぞれエンコーダ２８，２９，３０を取付け、該エンコーダ２８，２９，３０により前記車輪２５，２６，２７の回転数を個別に検出する様にしたものである。
【００６８】
前記エンコーダ２９，３０により、前記左輪２６、前記右輪２７の回転数を個別に検出することで、前記簡易距離計１が方向変換した場合に、内外輪差から方向変換の状態が検出できる。更に、前記方位センサ１４が検出する方位と、内外輪差との比較で、前記方向変換の検出状態の信頼性が向上する。
【００６９】
又、前記左輪２６、前記右輪２７のいずれかが、跳ねる等し、地表から離れた場合でも、前記エンコーダ２９，３０からの信号を連続的に監視することで、前記エンコーダ２９，３０からの出力信号の比較に基づき、接地していると判断されたエンコーダからの信号を取得することで、精度の高い距離測定を実行できる。
【符号の説明】
【００７０】
１              簡易距離計
２              フレーム
３              前走行輪
４              後走行輪
５              前エンコーダ
６              後エンコーダ
８              データ処理装置
９              ユニットケース
１１            演算制御部
１２            傾斜センサ
１３            メムスセンサ
１４            方位センサ
１５            通信部
１６            電源
１７            演算部
１８            記憶部
１９            入出力部
２１            端末装置
２２            表示部
【図１】
2014215110.tif 000003
【図２】
2014215110.tif 000004
【図３】
2014215110.tif 000005
【図４】
2014215110.tif 000006
【図５】
2014215110.tif 000007